(57)【要約】      （修正有）【課題】勾配コイルの振動を抑制して騒音の発生を防止し、画像品質を向上する。【解決手段】被検体が収容され静磁場が形成される収容空間に磁場を形成する勾配磁場装置において、勾配コイル部の振動を緩衝するダイナミックダンパを設ける。勾配コイル部は前記の収容空間から突き出るように延在する延在領域を備え、前記ダイナミックダンパは勾配コイルと静磁場の間に挟みこまれ、前記延在領域であって前記収容空間と異なる位置に配置する。これにより、勾配コイルの振動を効果的に抑制出来る。【選択図】図１
2006325824.tif 000002
【特許請求の範囲】
【請求項１】
静磁場が形成された収容空間内の被検体からの磁気共鳴信号に基づいて前記被検体の画像を生成する磁気共鳴イメージング装置であって、
前記収容空間に設けられ、前記収容空間に勾配磁場を形成する勾配コイル部と、
前記勾配コイル部の振動を緩衝するダイナミックダンパと
を有し、
前記勾配コイル部は、前記収容空間から突き出るように延在する延在領域を備え、
前記ダイナミックダンパは、前記延在領域であって前記収容空間と異なる位置に配置されている
磁気共鳴イメージング装置。
【請求項２】
前記静磁場を前記収容空間に形成する静磁場マグネット部
を有し、
前記ダイナミックダンパは、
重りと、
前記重りと前記勾配コイル部とを結合する弾性体および減衰要素
と
を含み、
前記静磁場マグネット部には、
前記重りをスライド移動可能に支持するガイドレールが形成されている
請求項１に記載の磁気共鳴イメージング装置。
【請求項３】
前記ダイナミックダンパは、
前記重りが前記勾配コイル部の共振周波数に対応するような質量になるように形成されており、
前記弾性体と前記減衰要素のそれぞれが前記勾配コイル部の共振周波数に対応するようなバネ定数と減衰定数とになるように形成されている
請求項２に記載の磁気共鳴イメージング装置。
【請求項４】
前記勾配コイル部は、円柱形状の前記収容空間を囲う円筒形状に形成され、前記延在領域が前記収容空間の円中心軸方向において、前記収容空間の開口から外側へ延在しており、
前記ダイナミックダンパは、前記勾配コイル部の外周壁における前記延在領域に配置されている
請求項１から３のいずれかに記載の磁気共鳴イメージング装置。
【請求項５】
被検体が収容され、静磁場が形成される収容空間に磁場を形成する磁場形成装置であって、
前記収容空間に設けられ、前記収容空間に勾配磁場を形成する勾配コイル部と、
前記勾配コイル部の振動を緩衝するダイナミックダンパと
を有し、
前記勾配コイル部は、前記収容空間から突き出るように延在する延在領域を備え、
前記ダイナミックダンパは、前記延在領域であって前記収容空間と異なる位置に配置されている
磁場形成装置。
【請求項６】
静磁場を前記収容空間に形成する静磁場マグネット部
を有し、
前記ダイナミックダンパは、
重りと、
前記重りと前記勾配コイル部とを結合する弾性体および減衰要素と
を含み、
前記静磁場マグネット部には、
前記重りをスライド移動可能に支持するガイドレールが形成されている
請求項５に記載の磁場形成装置。
【請求項７】
前記ダイナミックダンパは、
前記重りが前記勾配コイル部の共振周波数に対応するような質量になるように形成されており、
前記弾性体と前記減衰要素のそれぞれが前記勾配コイル部の共振周波数に対応するようなバネ定数と減衰定数とになるように形成されている
請求項６に記載の磁場形成装置。
【請求項８】
前記勾配コイル部は、円柱形状の前記収容空間を囲う円筒形状に形成され、前記延在領域が前記収容空間の円中心軸方向において、前記収容空間の開口から外側へ延在しており、
前記ダイナミックダンパは、前記勾配コイル部の外周壁における前記延在領域に配置されている
請求項５から７のいずれかに記載の磁場形成装置。
【発明の詳細な説明】
【技術分野】
【０００１】
本発明は、磁気共鳴イメージング装置および磁場形成装置に関し、特に、静磁場が形成された収容空間内の被検体からの磁気共鳴信号に基づいて、その被検体の画像を生成する磁気共鳴イメージング装置と、被検体が収容され、静磁場が形成される収容空間に勾配磁場を形成する磁場形成装置に関する。
【背景技術】
【０００２】
磁気共鳴イメージング（ＭＲＩ：Ｍａｇｎｅｔｉｃ  Ｒｅｓｏｎａｎｃｅ  Ｉｍａｇｉｎｇ）装置は、核磁気共鳴（ＮＭＲ：Ｎｕｃｌｅａｒ  Ｍａｇｎｅｔｉｃ  Ｒｅｓｏｎａｎｃｅ）現象を利用して、被検体の断層画像を撮影できる装置として知られている。磁気共鳴イメージング装置は、医療用途、産業用途などさまざまな分野において、利用されている。
【０００３】
磁気共鳴イメージング装置を用いて被検体の断層画像を撮影する際においては、まず、静磁場が形成された収容空間内に被検体を置き、被検体内のプロトン（ｐｒｏｔｏｎ）のスピンの方向を静磁場の方向へ整列させて磁化ベクトルを得た状態にする。その後、共鳴周波数の電磁波を照射することにより、核磁気共鳴現象を発生させてプロトンの磁化ベクトルを変化させる。そして、磁気共鳴イメージング装置は、元の磁化ベクトルに戻るプロトンからの磁気共鳴信号を受信し、その受信した磁気共鳴信号に基づいて被検体の断層画像を生成する。
【０００４】
このような磁気共鳴イメージング装置においては、撮影時間の短縮化のニーズに対応すべく、高速ＥＰＩ法など、勾配磁場を高速にスイッチングさせるパルスシーケンスが開発されている。高速にスイッチングさせて勾配磁場を形成する際においては、立ち上がり時や反転時に勾配コイルに電磁気力が作用するため、勾配コイルに機械的な歪みが生じて振動が発生する。そして、この振動によって、騒音が発生する場合があり、また、画像品質が低下する場合があった。
【０００５】
このため、磁気共鳴イメージング装置においては、ダイナミックダンパを用いて勾配コイルによる振動を抑制させている（例えば特許文献１、特許文献２）。
【特許文献１】特開平３−３２６４３号公報
【特許文献２】特開平６−９０９１９号公報
【発明の開示】
【発明が解決しようとする課題】
【０００６】
ここでは、ダイナミックダンパは、被検体と勾配コイルとが収容される収容空間において、勾配コイルと静磁場マグネットとの間に挟まれるように配置されている。
【０００７】
このため、ダイナミックダンパを設置するための設置スペースが十分に確保できないために、ダイナミックダンパの重りの質量を大きくすることができず、勾配コイルによる振動を十分に抑制できない場合があった。また、複数の固有振動モードによって複雑に挙動の振動を防止するためには、ダイナミックダンパの支持剛性の調整を各空間方向に対して実施する必要があるが、この調整が困難であるために、勾配コイルによる振動を十分に抑制できない場合があった。特に、勾配磁場を高速にスイッチングさせるパルスシーケンスにて被検体をスキャンする場合においては、勾配コイルによる振動によって騒音の発生や画像品質の低下などの不具合が顕在化する場合があった。
【０００８】
したがって、本発明の目的は、勾配コイルによる振動を効果的に抑制可能であって、騒音の発生を防止し、画像品質を向上できる磁気共鳴イメージング装置および磁場形成装置を提供することにある。
【課題を解決するための手段】
【０００９】
上記目的の達成のために本発明の磁気共鳴イメージング装置は、静磁場が形成された収容空間内の被検体からの磁気共鳴信号に基づいて前記被検体の画像を生成する磁気共鳴イメージング装置であって、前記収容空間に設けられ、前記収容空間に勾配磁場を形成する勾配コイル部と、前記勾配コイル部の振動を緩衝するダイナミックダンパとを有し、前記勾配コイル部は、前記収容空間から突き出るように延在する延在領域を備え、前記ダイナミックダンパは、前記延在領域であって前記収容空間と異なる位置に配置されている。
【００１０】
上記目的の達成のために本発明の磁場形成装置は、被検体が収容され、静磁場が形成される収容空間に磁場を形成する磁場形成装置であって、前記収容空間に設けられ、前記収容空間に勾配磁場を形成する勾配コイル部と、前記勾配コイル部の振動を緩衝するダイナミックダンパとを有し、前記勾配コイル部は、前記収容空間から突き出るように延在する延在領域を備え、前記ダイナミックダンパは、前記延在領域であって前記収容空間と異なる位置に配置されている。
【発明の効果】
【００１１】
本発明によれば、勾配コイルによる振動を効果的に抑制可能であって、騒音の発生を防止し、画像品質を向上できる磁気共鳴イメージング装置および磁場形成装置を提供することができる。
【発明を実施するための最良の形態】
【００１２】
以下より、本発明にかかる実施形態について説明する。
【００１３】
図１と図２は、本発明にかかる実施形態において、磁気共鳴イメージング装置１を示す図である。
【００１４】
ここで、図１は、本発明にかかる実施形態において、磁気共鳴イメージング装置１の構成を示す図である。また、図２は、本発明にかかる実施形態において、磁気共鳴イメージング装置１の構成を示す図であり、図２（ａ）が勾配コイル部１３部分を示す側面図であり、図２（ｂ）は勾配コイル部１３部分を示す斜視図である。
【００１５】
図１に示すように、磁気共鳴イメージング装置１は、静磁場マグネット部１２と、勾配コイル部１３と、ダイナミックダンパ１３ａと、ＲＦコイル部１４と、ＲＦ駆動部２２と、勾配駆動部２３と、データ収集部２４と、制御部２５と、クレードル２６と、データ処理部３１と、操作部３２と、表示部３３とを有し、収容空間Ｂ内の被検体ＳＵに電磁波を照射して、その被検体ＳＵからの磁気共鳴信号を得るスキャンを実施し、このスキャンにより得られた磁気共鳴信号に基づいて、被検体ＳＵの画像を生成する。
【００１６】
以下より、本実施形態の磁気共鳴イメージング装置１の各構成要素について、順次、説明する。
【００１７】
静磁場マグネット部１２は、超伝導磁石を含み、被検体ＳＵが収容される収容空間Ｂに静磁場を形成する。静磁場マグネット部１２は、たとえば、円筒形状の収容空間Ｂにおいて中空部の延在方向へ沿う水平方向へ静磁場を形成する。なお、静磁場マグネット部１２においては、常伝導磁石などの磁石を含むように構成されていてもよい。
【００１８】
また、静磁場マグネット部１２は、図１に示すように、ガイドレール１２１が形成されている。ガイドレール１２１は、ダイナミックダンパ１３ａの重り１３１ａをスライド移動可能に支持する。ここでは、図２に示すように、ガイドレール１２１は、勾配コイル部１３の周囲に設けられた複数のダイナミックダンパ１３ａの重り１３１ａのそれぞれに対応するように、複数が静磁場マグネット部１２に設置されている。そして、ガイドレール１２１のそれぞれは、円柱形状の収容空間Ｂの円中心軸Ｃから垂直な半径方向ｒへ放射状に延在するように形成されている。
【００１９】
本実施形態においては、図２（ａ）に示すように、収容空間Ｂの一方の開口側の側面に、４本のガイドレール１２１が設置されている。そして、図１に示すように、収容空間Ｂの他方の開口側の側面にも同様にしてガイドレール１２１が設置されている。つまり、本実施形態においては、合計８本のガイドレール１２１が、静磁場マグネット部１２の側面であって収容空間Ｂと異なる位置に設置されている。具体的には、図２（ａ）に示すように、収容空間Ｂの一方の開口側においては、収容空間Ｂの半径方向ｒにおいて鉛直な鉛直方向ｚへ延在するように、２本のガイドレール１２１が静磁場マグネット１２に設置されており、ダイナミックダンパ１３ａの重り１３１ａを鉛直方向ｚへスライド移動可能に支持している。また、収容空間Ｂの半径方向ｒにおいて水平な水平方向ｘへ延在するように、２本のガイドレール１２１が静磁場マグネット１２に設置されており、ダイナミックダンパ１３ａの重り１３１ａを、この水平方向ｘへスライド移動可能に支持している。そして、収容空間Ｂの他方の開口側においても同様にして、合計４本のガイドレール１２１が設置されている。
【００２０】
勾配コイル部１３は、静磁場が形成された収容空間Ｂに勾配磁場を形成し、ＲＦコイル部１４が受信する磁気共鳴信号に位置情報を付加する。勾配コイル部１３は、互いに直交した３軸方向へ勾配する勾配磁場を発生するように３系統の勾配コイルを含み、この勾配コイルが円柱形状の収容空間Ｂの周囲を囲うような円筒形状の勾配コイル支持体により支持されている。勾配コイル部１３は、収容空間Ｂに配置されるように、たとえば、両端部分で静磁場マグネット部１２により支持され、両端を除く部分が静磁場マグネット部１２から間隔が隔てられている。そして、勾配コイル部１３は、図１と図２（ｂ）とに示すように、収容空間Ｂに収容される被検体ＳＵの体軸方向ｙに沿った収容空間Ｂの円中心軸方向において、静磁場マグネット部１２よりも長くなるように形成されており、収容空間Ｂの両端の開口から外側へ突き出るように延在している延在領域Ｐを有する。そして、勾配コイル部１３は、撮影条件に応じて、周波数エンコード方向と位相エンコード方向とスライス選択方向とのそれぞれに勾配磁場を形成する。具体的には、勾配コイル部１３は、被検体ＳＵのスライス選択方向に勾配磁場を印加し、ＲＦコイル部１４がＲＦパルスを送信することによって励起させる被検体ＳＵのスライスを選択する。また、勾配コイル１３は、被検体ＳＵの位相エンコード方向に勾配磁場を印加し、ＲＦパルスにより励起されたスライスからの磁気共鳴信号を位相エンコードする。そして、勾配コイル部１３は、被検体ＳＵの周波数エンコード方向に勾配磁場を印加し、ＲＦパルスにより励起されたスライスからの磁気共鳴信号を周波数エンコードする。
【００２１】
ダイナミックダンパ１３ａは、図１に示すように、勾配コイル部１３の延在領域Ｐに、収容空間Ｂと異なるように配置されており、勾配コイル部１３の振動を緩衝する。ダイナミックダンパ１３ａは、勾配コイル部１３が勾配磁場を収容空間Ｂに形成する際に発生する振動と共振して、勾配コイル部１３の振動を打ち消す。本実施形態においては、ダイナミックダンパ１３ａは、図１とに示すように、収容空間Ｂの両端の開口から外側へ延在している延在領域Ｐであって、円筒形状の勾配コイル部１３の外周壁に配置されている。ここでは、図２（ａ）と図２（ｂ）とに示すように、収容空間Ｂの一方の開口側には、４個のダイナミックダンパ１３ａが設置されている。具体的には、２個のダイナミックダンパ１３ａが収容空間Ｂの半径方向ｒにおいて鉛直な鉛直方向ｚへ収容空間Ｂを介して並ぶように設置されている。そして、さらに、これと共に、２個のダイナミックダンパ１３ａが収容空間Ｂの半径方向ｒにおいて水平な水平方向ｘへ収容空間Ｂを介して並ぶようにして設置されている。また、図１に示すように、収容空間Ｂの他方の開口側にも同様にしてダイナミックダンパ１３ａが設置されている。つまり、本実施形態においては、合計８個のダイナミックダンパ１３ａが設置されている。
【００２２】
そして、ダイナミックダンパ１３ａは、図１と図２（ａ）とに示すように、重り１３１ａと、弾性体１３１ｂと、減衰要素１３１ｃとを有する。
【００２３】
ダイナミックダンパ１３ａの重り１３１ａは、たとえば、金属材料により、所定の質量になるように形成されている。そして、重り１３１ａは、図１に示すように、ガイドレール１２１によって所定方向へスライド移動可能になるように支持されている。たとえば、ダイナミックダンパ１３ａは、ガイドレール１２１の延在方向に沿うように溝が形成されており、その溝がガイドレール１２１に嵌められて、ガイドレール１２１の延在方向へスライド移動する。具体的には、図２（ａ）に示すように、収容空間Ｂの一方の開口側において鉛直方向ｚに設置された２つのダイナミックダンパ１３ａの重り１３１ａのそれぞれは、鉛直方向ｚへ延在するように静磁場マグネット１２に設置されているガイドレール１２１によって、鉛直方向ｚへスライド移動可能に支持されている。そして、円筒形状の収容空間Ｂの半径方向ｒにおいて水平な水平方向ｘに設置された２つのダイナミックダンパ１３ａの重り１３１ａのそれぞれは、この水平方向ｘへ延在するように静磁場マグネット１２に設置されているガイドレール１２１によって、この水平方向ｘへスライド移動可能に支持されている。そして、収容空間Ｂの他方の開口側においても同様にして、４つのダイナミックダンパ１３ａが同様にして設置されている。
【００２４】
ダイナミックダンパ１３ａの弾性体１３１ｂは、たとえば、コイルバネを含み、重り１３１ａと勾配コイル部１３とに挟まれるように配置され、重り１３１ａと勾配コイル部１３とを結合する。
【００２５】
ダイナミックダンパ１３ａの減衰要素１３１ｃは、たとえば、オイルシリンダを含み、重り１３１ａと勾配コイル部１３とに挟まれるように配置され、重り１３１ａと勾配コイル部１３とを結合する。
【００２６】
ダイナミックダンパ１３ａにおいて、重り１３１ａと弾性体１３１ｂと減衰要素１３１ｃとのそれぞれは、以下の数式（１），数式（２），数式（３）に示すように、勾配コイル部１３の共振周波数に対応する質量ｍ２、ばね定数ｋ２、減衰定数ｃ２になるように形成されている。
【００２７】
なお、数式（１），数式（２），数式（３）において、μは、質量比であり、ω１は、勾配コイル部１３の固有振動数であり、ｍ１は、固有振動数ω１に対応する勾配コイル部１３の等価質量である。ここで、質量比μは、数式（４）のように示される。また、勾配コイル部１３の固有振動数ω１は、勾配コイル部１３の等価質量ｍ１と弾性係数ｋ１とによって数式（５）のように示される。
【００２８】
そして、数式（１），数式（２），数式（３）において、ω２は、ダイナミックダンパ１３ａの固有振動数であり、γｏｐｔは、最適固有振動数比であり、ζ２ｏｐｔは、最適減衰比である。ここで、ダイナミックダンパ１３ａの固有振動数ω２は、ダイナミックダンパ１３ａの等価質量ｍ２と弾性係数ｋ２とによって数式（６）のように示される。そして、最適固有振動数比γｏｐｔは、数式（７）に示される勾配コイル部１３の減衰比ζ１によって、数式（８）のように示される。そして、最適減衰比ζ２ｏｐｔは、数式（９）のように示される。
【００２９】
【数１】
2006325824.tif 000003
【００３０】
【数２】
2006325824.tif 000004
【００３１】
【数３】
2006325824.tif 000005
【００３２】
【数４】
2006325824.tif 000006
【００３３】
【数５】
2006325824.tif 000007
【００３４】
【数６】
2006325824.tif 000008
【００３５】
【数７】
2006325824.tif 000009
【００３６】
【数８】
2006325824.tif 000010
【００３７】
【数９】
2006325824.tif 000011
【００３８】
ダイナミックダンパ１３ａにおいての質量ｍ２、ばね定数ｋ２、減衰定数ｃ２を設定する際においては、まず、勾配コイル部１３において振動が低減する固有振動モードについての等価質量ｍ１を求める。ここでは、重りを負荷したときの固有振動数の変化から同定する、モード解析を用いる。つぎに、ダイナミックダンパ１３ａの質量ｍ２について、質量比μを０．１を目安に大きな値を設定する。つぎに、ダイナミックダンパ１３ａのばね定数ｋ２について、質量比μから決まる最適な固有振動数比γｏｐｔを求めて、決定する。つぎに、ダイナミックダンパ１３ａの減衰定数ｃ２について、質量比μから決まる最適減衰比ζ２ｏｐｔを求めて決定する。そして、さらに、上記のようにして決定した質量ｍ２、ばね定数ｋ２、減衰定数ｃ２をベースに、設計可能範囲で値を振って、目的関数を騒音値にした感度解析を行い最適化する。
【００３９】
ＲＦコイル部１４は、図１に示すように、被検体ＳＵの撮影領域を囲むように配置される。ＲＦコイル部１４は、静磁場マグネット部１２によって静磁場が形成される収容空間Ｂ内において、電磁波であるＲＦパルスを被検体ＳＵに送信して高周波磁場を形成し、被検体ＳＵの撮影領域におけるプロトンのスピンを励起する。そして、ＲＦコイル部１４は、その励起された被検体ＳＵ内のプロトンから発生する電磁波を磁気共鳴信号として受信する。
【００４０】
ＲＦ駆動部２２は、ＲＦコイル部１４を駆動させて収容空間Ｂ内にＲＦパルスを送信させて高周波磁場を形成する。ＲＦ駆動部２２は、ゲート変調器（図示なし）とＲＦ電力増幅器（図示なし）とＲＦ発振器（図示なし）とを有する。ＲＦ駆動部２２は、制御部２５からの制御信号に基づいて、ＲＦ発振器からの信号を、ゲート変調器を用いて所定のタイミングおよび所定の包絡線の信号に変調する。そして、ゲート変調器により変調された信号を、ＲＦ電力増幅器により増幅した後、ＲＦコイル部１４に出力し、ＲＦパルスを送信させる。
【００４１】
勾配駆動部２３は、制御部２５からの制御信号に基づいて、勾配パルスを勾配コイル部１３に印加して駆動させ、静磁場が形成されている収容空間Ｂ内に勾配磁場を発生させる。勾配駆動部２３は、３系統の勾配コイル部１３に対応して３系統の駆動回路（図示なし）を有する。
【００４２】
データ収集部２４は、制御部２５からの制御信号に基づいて、ＲＦコイル部１４が受信する磁気共鳴信号を収集し、データ処理部３１に出力する。データ収集部２４は、位相エンコードと周波数エンコードとが施された磁気共鳴信号をｋ空間に対応するように収集する。ここでは、データ収集部２４は、ＲＦコイル部１４が受信する磁気共鳴信号をＲＦ駆動部２２のＲＦ発振器の出力を参照信号として位相検波器が位相検波した後に、そのアナログ信号の磁気共鳴信号をＡ／Ｄ変換器がデジタル信号に変換する。そして、その収集した磁気共鳴信号をメモリに記憶後、データ処理部３１に出力する。
【００４３】
制御部２５は、コンピュータと、コンピュータを用いて所定のスキャンに対応する動作を各部に実行させるプログラムとを有する。そして、制御部２５は、操作部３２からデータ処理部３１を介して入力される操作信号に基づいて、ＲＦ駆動部２２と勾配駆動部２３とデータ収集部２４とのそれぞれに、所定のスキャンを実行させる制御信号を出力し制御を行う。
【００４４】
クレードル２６は、図１に示すように、被検体ＳＵを載置するテーブルを有する。クレードル部２６は、制御部２５からの制御信号に基づいて、収容空間Ｂの内部と外部との間でテーブルに載置された被検体を移動する。ここでは、円柱形状の収容空間Ｂの円中心軸方向Ｃに沿って被検体ＳＵを移動する。
【００４５】
データ処理部３１は、コンピュータと、そのコンピュータを用いて所定のデータ処理を実行するプログラムとを有する。データ処理部３１は、操作部３２に接続されており、操作部３２からの操作信号が入力される。そして、データ処理部３１は、制御部２５に接続されており、オペレータによって操作部３２に入力される操作信号を制御部２５に出力する。また、データ処理部３１は、データ収集部２４に接続されており、データ収集部２４によって収集された磁気共鳴信号を取得し、その取得した磁気共鳴信号に対して画像処理を行って、被検体ＳＵのスライスについての画像を生成する。たとえば、データ処理部３１は、デジタル信号に変換された磁気共鳴信号に対してフーリエ変換処理を実施して、被検体ＳＵの画像を生成する。そして、データ処理部３１は、その生成した画像を表示部３３に出力する。
【００４６】
操作部３２は、キーボードやマウスなどの操作デバイスにより構成されている。操作部３２は、オペレータによって操作され、その操作に応じた操作信号をデータ処理部３１に出力する。ここでは、撮影目的に応じた複数のパルスシーケンスでのスキャンをオペレータが選択して入力可能なように操作部３２が構成されている。
【００４７】
表示部３３は、ＣＲＴなどの表示デバイスにより構成されている。表示部３３は、被検体ＳＵからの磁気共鳴信号に基づいて生成される被検体ＳＵのスライスについての画像を表示する。
【００４８】
以上のように、本実施形態の磁気共鳴イメージング装置１においては、ダイナミックダンパ１３ａが勾配コイル部１３に設置されている。このため、勾配コイル部１３による振動を抑制できる。
【００４９】
図３は、本発明にかかる実施形態において、所定範囲の周波数（Ｆｒｅｑ．（Ｈｚ））の振動に対する勾配コイル部１３の変位（Ｄｉｓｐ．）のシミュレーション位置を示す図である。図３において、図３（ａ）は、所定範囲の周波数（Ｆｒｅｑ．（Ｈｚ））の振動に対する勾配コイル部１３の変位（Ｄｉｓｐ．）のシミュレーション位置を示す正面図であり、図３（ｂ）は、このシミュレーション位置を示す斜視図である。また、図４は、所定範囲の周波数（Ｆｒｅｑ．（Ｈｚ））の振動に対する勾配コイル部１３の変位（Ｄｉｓｐ．）のシミュレーション結果を示す図であり、実線がダイナミックダンパ１３ａを設置した本実施形態の場合を示し、点線がダイナミックダンパ１３ａを設置しないで固定した場合を示している。
【００５０】
本実施形態においては、図３（ａ），図３（ｂ）に示すように、水平方向へ分布する加振力Ｐが加えられた勾配コイル部１３における円筒面の中央であって加振範囲の中央部Ｃについての変位量（Ｄｉｓｐ．）をシミュレーションする。そして、図４に示すシミュレーションの結果から判るように、ダイナミックダンパ１３ａを勾配コイル部１３に設置することで、勾配コイル部１３による振動が抑制される。
【００５１】
また、本実施形態の磁気共鳴イメージング装置１においては、円柱形状の収容空間Ｂに勾配磁場を形成する勾配コイル部１３は、収容空間Ｂを囲うような円筒形状に形成されており、この収容空間Ｂの円中心軸方向Ｃにおいて、収容空間Ｂの開口から外側へ突き出るように延在している延在領域Ｐを有している。そして、勾配コイル部１３の振動を緩衝するダイナミックダンパ１３ａは、勾配コイル部１３の外周壁における延在領域Ｐに設置され、収容空間Ｂと異なる位置に配置されている。このため、本実施形態は、ダイナミックダンパ１３ａを設置するための設置スペースを十分に確保可能になるために、ダイナミックダンパ１３ａの重り１３１ａの質量を大きくすることができ、勾配コイル部１３による振動を十分に抑制できる。よって、本実施形態は、勾配コイルに部１３よる振動による騒音の発生を防止し、画像品質を向上することができる。
【００５２】
また、本実施形態の磁気共鳴イメージング装置１においては、ダイナミックダンパ１３ａの重り１３１ａをスライド移動可能に支持するガイドレール１２１が静磁場マグネット部１２に設置されている。このため、勾配コイル部１３の振動によって、ダイナミックダンパ１３ａの重り１３１ａがガイドレール１２１の延在方向へ共振する。よって、本実施形態は、勾配コイル部１３による振動を十分に抑制でき、勾配コイルに部１３よる振動による騒音の発生を防止して、画像品質を向上することができる。
【００５３】
なお、上記の実施形態において磁気共鳴イメージング装置１は、本発明の磁気共鳴イメージング装置に相当する。また、上記実施形態の静磁場マグネット部１２は、本発明の静磁場マグネット部に相当する。また、上記実施形態の勾配コイル部１３は、本発明の勾配コイル部に相当する。また、上記実施形態のダイナミックダンパ１３ａは、本発明のダイナミックダンパに相当する。また、上記実施形態のガイドレール１２１は、本発明のガイドレールに相当する。また、上記実施形態の重り１３１ａは、本発明の重りに相当する。また、上記実施形態の弾性体１３１ｂは、本発明の弾性体に相当する。また、上記実施形態の延在領域Ｐは、本発明の延在領域に相当する。また、上記実施形態の収容空間Ｂは、本発明の収容空間に相当する。
【００５４】
また、本発明の実施に際しては、上記した実施形態に限定されるものではなく、種々の変形例を採用することができる。
【００５５】
たとえば、ダイナミックダンパ１３ａの弾性体１３１ｂおよび減衰要素１３１ｃとしては、コイルバネとゴムなどの粘弾性体とを組み合わせて用いてもよく、ゴムなどの粘弾性体のみを用いてもよい。
【００５６】
また、たとえば、ダイナミックダンパ１３ａは、鉛直方向ｚにおいては収容空間Ｂの下方にダイナミックダンパ１３ａを設置せずに、収容空間Ｂの上方のみにダイナミックダンパ１３ａを設置してもよい。その他に、たとえば、１個のダイナミックダンパ１３ａを用いる場合についても適用可能である。
【図面の簡単な説明】
【００５７】
【図１】図１は、本発明にかかる実施形態において、磁気共鳴イメージング装置１の構成を示す図である。
【図２】図２は、本発明にかかる実施形態において、磁気共鳴イメージング装置１の構成を示す図であり、図２（ａ）が勾配コイル部１３部分を示す側面図であり、図２（ｂ）は勾配コイル部１３部分を示す斜視図である。
【図３】図３は、本発明にかかる実施形態において、所定範囲の周波数（Ｆｒｅｑ．（Ｈｚ））の振動に対する勾配コイル部１３の変位（Ｄｉｓｐ．）のシミュレーション位置を示す図である。
【図４】図４は、本発明にかかる実施形態において、所定範囲の周波数（Ｆｒｅｑ．（Ｈｚ））の振動に対する勾配コイル部１３の変位（Ｄｉｓｐ．）のシミュレーション結果を示す図である。
【符号の説明】
【００５８】
１：磁気共鳴イメージング装置（磁気共鳴イメージング装置）
１２：静磁場マグネット部（静磁場マグネット部）、
１３：勾配コイル部（勾配コイル部）、
１３ａ：ダイナミックダンパ（ダイナミックダンパ）、
１４：ＲＦコイル部、
２２：ＲＦ駆動部、
２３：勾配駆動部、
２４：データ収集部、
２５：制御部、
２６：クレードル、
３１：データ処理部、
３２：操作部、
３３：表示部、
１２１：ガイドレール（ガイドレール）、
１３１ａ：重り（重り）、
１３１ｂ：弾性体（弾性体）、
１３１ｃ：減衰要素（減衰要素）、
Ｂ：収容空間（収容空間）、
Ｐ：延在領域（延在領域）
【図１】
2006325824.tif 000012
【図２】
2006325824.tif 000013
【図３】
2006325824.tif 000014
【図４】
2006325824.tif 000015